(57)【要約】 【課題】  凝縮器の前面と、前面パネルにおける吸気口の前面の両方に装着できるエアフィルタを提供する。【解決手段】  エアフィルタ７０の裏面の下縁には、中央寄りに一対の差込部７６が、両端部に一対の規制部７７が突設され、上縁にマグネット７９が嵌着される。凝縮器２７の前面に取り付けるときは、差込部７６を凝縮器２７と基台３７の隙間４５に差し込み、両規制部７７で凝縮器２７の脚部４２を挟むことで、上下、左右の移動を規制し、マグネット７９を吸着板４８に吸着して倒れ止めする。前面パネル６２の吸気口６５の前面に取り付ける場合は、差込部７６を、下部の左右の小吸気口６５Ａに差し込み、規制部７７を同小吸気口６５Ａの互いに離間した端部に挿入することで、上下、左右の移動を規制し、マグネット７９を前面パネル６２における吸気口６５の上部位置に吸着して倒れ止めする。【選択図】  図６
2005156096.tif 000002
【特許請求の範囲】
【請求項１】
冷凍サイクルを構成する凝縮器等が収納された機械室を有するとともに、この機械室の前面パネルに吸気口が形成され、この吸気口とエアフィルタとを通して吸引された外気により前記凝縮器等を冷却したのち暖排気を外部に排出するようにした冷却装置において、
前記エアフィルタには、前記凝縮器の前面と、前記前面パネルの前記吸気口の前面とのいずれにも着脱可能に取り付けられる取付手段が設けられていることを特徴とする冷却装置。
【請求項２】
前記凝縮器は脚部を介して前記機械室の底面から浮いた状態で設置されているとともに、前記吸気口は前記前面パネルにおける前記凝縮器の前方に対応する領域において複数の小吸気口を整列して開口することで形成されており、
前記エアフィルタの下縁には、前記凝縮器と前記機械室の底面との間の隙間、または前記吸気口のうちの下部の小吸気口に、それぞれ前面側から差し込まれてこのエアフィルタの上下方向の移動を規制する差込部と、
前記凝縮器の脚部、または前記小吸気口の左右方向の縁部と係合して、このエアフィルタの左右方向の移動を規制する規制部とが設けられるとともに、
このエアフィルタの上縁には、前記凝縮器の上縁部、または前記前面パネルの表面における前記吸気口の上部位置に、それぞれ着脱可能に取り付けられる取付部が設けられていることを特徴とする請求項１記載の冷却装置。
【請求項３】
前記規制部が前記差込部を兼用して設けられていることを特徴とする請求項２記載の冷却装置。
【請求項４】
前記取付部が、前記凝縮器の上縁部、または前記前面パネルの表面における前記吸気口の上部位置に吸着可能なマグネットであることを特徴とする請求項２または請求項３記載の冷却装置。
【発明の詳細な説明】
【技術分野】
【０００１】
本発明は、空冷式の凝縮器に付設されるエアフィルタの配設構造に改良を加えた冷却装置に関する。
【背景技術】
【０００２】
例えば横型冷蔵庫は、図２３に示すように、横長の断熱箱体からなる冷蔵庫本体１を有して内部が冷蔵室とされ、本体１の側方に機械室２が設けられている。機械室２内の上部側には、冷蔵室と連通した断熱性の蒸発器室３が張り出し形成され、庫内ファン４Ｂともども蒸発器４Ａが収納されているとともに、下部側に設けられた収納スペースに、圧縮機、その前に凝縮器５といった冷凍装置が収納されている。また、機械室２の前面パネル６の下部側には吸気口７が、上部の正面から見た左側に排気口８がそれぞれ形成されている。  
そして冷凍装置と庫内ファン４Ｂが運転されると、蒸発器４Ａにより生成された冷気が冷蔵室内に循環供給されて冷蔵室内が冷却される。また、冷凍装置とともに、凝縮器５の奥側に設けられた凝縮器ファンが駆動され、前面パネル６の吸気口７から吸い込まれた外気で冷凍装置の凝縮器５等が冷却され、冷却に供した後の暖排気が立ち上って排気口８から前面に排出されるようになっている。
【０００３】
ところで、上記のように凝縮器５を外気で空冷する場合は、外気中に混じった塵埃や油露を捕集するエアフィルタを配備し、これらが凝縮器５に付着することに起因して凝縮能力が低下すること等を防止するようにしているが、従来この種のエアフィルタは、機械室２内における凝縮器５の直前に設けるのが一般的であった（特許文献１参照）。
【特許文献１】特開平１１−１１８３２６号公報
【発明の開示】
【発明が解決しようとする課題】
【０００４】
しかるに上記従来構造では、エアフィルタの汚れ具合を確認する場合や、エアフィルタを掃除する場合に、いちいち前面パネル６を開けなくてはならない煩わしさがあった。  
そこで本願出願人は、エアフィルタを前面パネル６における吸気口７の前面に着脱できるものを提案した。しかしながらこのような外付け式のものでは逆に、エアフィルタに付着した汚れを直接目にし、また汚れに簡単に触れてしまうおそれがある。さらにこの種エアフィルタは、樹脂枠内にメッシュが張られた構造であるが、ステンレス鋼板製で高級感を持たせてある冷蔵庫の外観の一部に、樹脂製のエアフィルタが取り付くと、高級感を損ねることも懸念される。したがって、外観を重視する場合等には、直ちに外付け方式を採用することはできないという事情があった。  
本発明は上記のような事情に基づいて完成されたものである。
【課題を解決するための手段】
【０００５】
上記の目的を達成するための手段として、請求項１の発明は、冷凍サイクルを構成する凝縮器等が収納された機械室を有するとともに、この機械室の前面パネルに吸気口が形成され、この吸気口とエアフィルタとを通して吸引された外気により前記凝縮器等を冷却したのち暖排気を外部に排出するようにした冷却装置において、前記エアフィルタには、前記凝縮器の前面と、前記前面パネルの前記吸気口の前面とのいずれにも着脱可能に取り付けられる取付手段が設けられている構成としたところに特徴を有する。
【０００６】
請求項２の発明は、請求項１に記載のものにおいて、前記凝縮器は脚部を介して前記機械室の底面から浮いた状態で設置されているとともに、前記吸気口は前記前面パネルにおける前記凝縮器の前方に対応する領域において複数の小吸気口を整列して開口することで形成されており、前記エアフィルタの下縁には、前記凝縮器と前記機械室の底面との間の隙間、または前記吸気口のうちの下部の小吸気口に、それぞれ前面側から差し込まれてこのエアフィルタの上下方向の移動を規制する差込部と、前記凝縮器の脚部、または前記小吸気口の左右方向の縁部と係合して、このエアフィルタの左右方向の移動を規制する規制部とが設けられるとともに、このエアフィルタの上縁には、前記凝縮器の上縁部、または前記前面パネルの表面における前記吸気口の上部位置に、それぞれ着脱可能に取り付けられる取付部が設けられているところに特徴を有する。
【０００７】
請求項３の発明は、請求項２に記載のものにおいて、前記規制部が前記差込部を兼用して設けられているところに特徴を有する。  
請求項４の発明は、請求項２または請求項３に記載のものにおいて、前記取付部が、前記凝縮器の上縁部、または前記前面パネルの表面における前記吸気口の上部位置に吸着可能なマグネットであるところに特徴を有する。
【発明の効果】
【０００８】
＜請求項１の発明＞
エアフィルタは取付手段によって、凝縮器の前面と、機械室の前面パネルにおける吸気口の前面とのいずれかに選択的に取り付けられる。凝縮器の前面に取り付けられた場合は、機械室内に収められることで見栄えが良くなり、一方、吸気口の前面に取り付けられた場合は、汚れの確認や掃除の際に便利となる。  
外観を重視する場合は凝縮器の前面、汚れの確認や掃除の便宜性を重視する場合は吸気口の前面といったように、目的により取付箇所を使い分けることができる。しかもエアフィルタ自体は共通であるから、安価に対応可能である。
【０００９】
＜請求項２の発明＞
エアフィルタを凝縮器の前面に取り付ける場合は、下縁の差込部を凝縮器と機械室の底面との間の隙間に差し込んで上下方向の移動を規制するとともに、規制部を凝縮器の脚部に係合させることで左右方向の移動を規制し、また上縁の取付部を凝縮器の上縁部に取り付けることで倒れ止めする。  
一方、エアフィルタを前面パネルの吸気口の前面に取り付ける場合は、下縁の差込部を、吸気口のうちの下部の小吸気口に差し込んで上下方向の移動を規制するとともに、規制部を、同じく下部の小吸気口の左右方向の縁部と係合させることで左右方向の移動を規制し、また上縁の取付部を、前面パネルの表面における吸気口の上部位置に取り付けることで倒れ止めする。
【００１０】
＜請求項３の発明＞
規制部が差込部を兼用することで、エアフィルタの構造がシンプルにでき、ひいては安価に製造可能となる。  
＜請求項４の発明＞
エアフィルタは、その上縁に設けられたマグネットを凝縮器の上縁部、または前面パネルの表面における吸気口の上部位置に吸着させることで取り付けられる。エアフィルタの上縁部の着脱をワンタッチで簡単に行うことができる。
【発明を実施するための最良の形態】
【００１１】
以下、本発明の実施形態を添付図面に基づいて説明する。  
＜実施形態１＞
本発明の実施形態１を図１ないし図１４によって説明する。この実施形態では、横型の冷凍冷蔵庫を例示している。  
図１ないし図３において、符号１０は冷凍冷蔵庫の本体であって、前面に開口した横長の断熱箱体により構成され、底面の四隅に設けられた脚１１によって支持されている。本体１０の内部は、後付けされる断熱性の仕切壁１２によって左右に仕切られ、左の相対的に狭い側が冷凍室１４Ａ、右の広い側が冷蔵室１４Ｂとなっている。冷凍室１４Ａの前面の開口には揺動式の断熱扉１５が、冷蔵室１４Ｂの前面の開口には観音開き式の断熱扉１６がそれぞれ装着されている。
【００１２】
本体１０の正面から見た左側部には、後記するように、前面が開口した箱形をなす機械室１８が設けられている。  
機械室１８内の上部には、冷凍室１４Ａと連通した断熱性の蒸発器室２０Ａが張り出し形成されているとともに、その下方には、冷凍ユニット１９が出し入れ可能に収納される収納スペース２１が設けられている。また仕切壁１２の冷蔵室１４Ｂ側の面には、ダクト２３を張ることで別の蒸発器室２０Ｂが形成されている。
【００１３】
冷凍回路２５は、図４に示すように、圧縮機２６の出口側に凝縮器ファン２８付きの凝縮器２７が接続され、その下流側に、ドライヤ２９とストレーナ３０とが順次に接続されている。ストレーナ３０の下流側には、電磁弁３１Ａ，３１Ｂと、キャピラリチューブ３２Ａ，３２Ｂと、蒸発器３３Ａ，３３Ｂとを直列接続した冷凍側と冷蔵側との冷媒流通配管３４Ａ，３４Ｂが並列に設けられ、圧縮機２６の入口側に還流接続されている。  
冷凍回路２５の構成部材のうち、冷凍側の蒸発器３３Ａが、冷凍室１４Ａ側の蒸発器室２０Ａ内に庫内ファン３５Ａとともに装備され、冷蔵側の蒸発器３３Ｂが、冷蔵室１４Ｂ側の蒸発器室２０Ｂ内に、同様に庫内ファン３５Ｂとともに装備されている。
【００１４】
一方、圧縮機２６、凝縮器２７、凝縮器ファン２８、ドライヤ２９、ストレーナ３０及び電磁弁３１Ａ，３１Ｂは、図２に一部を示すように、基台３７上に搭載されてユニット化されている。  
凝縮器２７は空冷式であって、多数枚並列されたフィン３９を貫通しつつ冷媒配管４０がジグザグ状に配管され、全体として方形のブロック状に形成されており、図９に示すように、左右両側のエンドプレート４１の下縁が若干延長されて脚部４２が形成されている。脚部４２の下端には外向きに取付板４３が形成され、両取付板４３を基台３７上に載せてねじ４４で固定することによって、凝縮器２７は、その下面と基台３７との間に隙間４５を設けた状態で支持されている。凝縮器２７のカバー４７における上面の前縁には、吸着板４８が立ち上がり形成されている。カバー４７すなわち吸着板４８は、磁性の金属板製である。
【００１５】
上記した基台３７は、浅皿を伏せたような形状をなし、手前側の端縁には、上面が開口したほぼ溝状に曲げ形成された把手５０が形成されている。  
それに対して機械室１８の収納スペース２１の底面には、上記した基台３７が出し入れ可能に載置される底板５３が張られている。この底板５３は浅皿状に形成され、正面から見た右側板が本体１０の側面の下端部に、左側板が、蒸発器室２０Ａの側面の下縁から垂下状に設けられた前後一対の支持フレーム５５の下端にそれぞれ固定されて支持されている。
【００１６】
冷凍ユニット１９を搭載した基台３７は、収納スペース２１の底板５３上に前方から押し込まれ、把手５０の奥側の側面である当て板５１が、底板５３の手前側の縁部に設けられた取付板５４に突き当たることで押し込みが停止され、当て板５１と取付板５４とがねじ５６を締め付けることで固定されている。  
それとともに、冷凍回路２５を形成するために、両蒸発器３３Ａ，３３Ｂの入口側に接続されて引き出されたキャピラリチューブ３２Ａ，３２Ｂが対応する電磁弁３１Ａ，３１Ｂに接続されるとともに、両蒸発器３３Ａ，３３Ｂの出口側から引き出された冷媒配管の合流配管が、圧縮機２６の入口側に接続されるようになっている。
【００１７】
機械室１８の天面には、本体１０側から延出された天板５８が張られ、その左側の端部は、蒸発器室２０Ａの左側面よりも支持フレーム５５のほぼ厚さ分突出している。機械室１８の背面には、背面パネル（図示せず）が本体１０の背面と面一に張られている。機械室１８の側面には、側面パネル５９（図３）が、支持フレーム５５に当てられつつ、底板５３と天板５８の左端にわたって張られている。これにより上記したように、前面開放の箱形をなす機械室１８が形成されている。それとともに、側面パネル５９と蒸発器室２０Ａとの間に、後記する暖排気を流通させる流通空間６０が形成されている。
【００１８】
機械室１８の前面の開口には、前面パネル６２が装着されている。この前面パネル６２は磁性の金属板製であって、周縁に側板を設けた縦長の浅皿状をなし、正面から見た右側縁で、蝶番６３によって揺動開閉可能に支持されている。  
前面パネル６２の下部側には、凝縮器２７等を冷却すべく外気の吸気口６５が形成されている。この吸気口６５は、凝縮器２７の正面形状にほぼ匹敵する領域において、横長の小吸気口６５Ａが複数個縦方向に所定ピッチで開口され、この小吸気口６５Ａの列が左右二列設けられた形状となっている。なお、吸気口６５の裏面側には、フード６６が設けられている（図９）。
【００１９】
前面パネル６２の上部における正面から見た左側縁側、すなわち上記した流通空間６０の前方に対応する位置には、排気口６７が開口されている。この排気口６７は、同じように横長の小排気口６７Ａが複数個縦方向に所定ピッチで開口された形状となっている。ただし、一列のみである。  
さらに、前面パネル６２における上部の右側領域の裏面側には、各種電装品やマイクロコンピュータ等を格納した制御ボックス６８が取り付けられている。制御ボックス６８の前面には、庫内温度等を表示する表示部６８Ａや、設定温度を入力するための操作盤等が設けられ、制御ボックス６８の前面は、前面パネル６２に開口された窓孔６９に臨んでいる。
【００２０】
さてこの実施形態では、凝縮器２７等を冷却すべく外気中に混じった塵埃や油露を捕集するためのエアフィルタ７０の配設構造に工夫が凝らされており、以下それについて説明する。端的には、エアフィルタ７０は、凝縮器２７の前面と、前面パネル６２に形成された吸気口６５の前面とに選択的に取り付け可能となっている。  
エアフィルタ７０は、図５及び図６に示すように、ＡＢＳ樹脂等の合成樹脂製の枠７１内に、ポリプロピレン等の合成樹脂製のフィルタメッシュ７２が張られた構造である。より詳細には、枠７１は、凝縮器２７の正面形状より一回り大きい方形状をなす枠本体７３を有し、この枠本体７３は裏面側の内周部が薄肉に形成されるとともに、この薄肉部７４Ａと同じ厚さをなす補強枠７５が横向きに２本形成された構造であって、上記したフィルタメッシュ７２は、枠本体７３の薄肉部７４Ａから補強枠７５の裏面にわたって当てられた状態で、インサート成形により一体的に張られている。
【００２１】
枠７１の下縁における裏面には、図７にも示すように、幅方向の中心を挟んだ両側において、一対の差込部７６が突出形成されている。この差込部７６は、比較的幅広で、先端側が一段下がったような段差状に形成されている。  
後記するように、エアフィルタ７０が凝縮器２７の前面に当てられた際には、両差込部７６が、凝縮器２７の下面と基台３７との間の隙間４５に差し込み可能となっている。また、エアフィルタ７０が前面パネル６２の吸気口６５の前面に当てられた際には、両差込部７６は、一番下の左右の小吸気口６５Ａにそれぞれ差し込み可能となっている。
【００２２】
また、枠７１の下縁の裏面における幅方向の両端部には、一対の規制部７７が突出形成されている。この規制部７７は、差込部７６と比べて、幅、突出長さともに小さく形成されている。そして、エアフィルタ７０が凝縮器２７の前面に当てられた際には、両規制部７７が、凝縮器２７の両脚部４２を挟むことができるようになっている。また、エアフィルタ７０が前面パネル６２の吸気口６５の前面に当てられた際には、両規制部７７は、一番下の左右の小吸気口６５Ａにおける外側の端部寄りの位置に挿入可能となっている。
【００２３】
枠７１の上縁、詳細には枠本体７３の厚肉部分における裏面には、ほぼ全幅にわたって装着溝７８が形成され、この装着溝７８内に、マグネット７９が嵌着されている。マグネット７９の表面は、枠本体７３の厚肉部分の裏面から若干突出する設定となっている。そして、エアフィルタ７０が凝縮器２７の前面に当てられた際には、マグネット７９は凝縮器２７のカバー４７の前縁に立ち上がり形成された吸着板４８に当接し、一方、エアフィルタ７０が前面パネル６２の吸気口６５の前面に当てられた際には、マグネット７９は前面パネル６２における吸気口６５の形成領域の上の部分に当接可能となっている。  
また、枠７１の上縁の表面側には、幅方向の中央部において、指を掛ける操作部８０が形成されている。
【００２４】
続いて、本実施形態の作用を説明する。  
エアフィルタ７０は、凝縮器２７の前面、または前面パネル６２の吸気口６５の前面に選択的に装着される。  
凝縮器２７の前面に装着する場合は、まず冷凍ユニット１９を機械室１８内に入れて固定し、その後エアフィルタ７０を、その下縁が凝縮器２７の下面と対応するように配して、図７の矢線に示すように凝縮器２７の正面に押し付ける。そうすると、図８及び図９に示すように、下縁の両差込部７６が凝縮器２７の下面と基台３７との間の隙間４５に差し込まれて、上下方向の移動が規制され、続いて、両規制部７７が凝縮器２７の脚部４２を両側から挟むことで左右方向の移動が規制され、それとともに上縁のマグネット７９が吸着板４８に吸着することで倒れ止めされる。
【００２５】
その後、前面パネル６２が閉じられると、エアフィルタ７０は、前面パネル６２の裏面側において、図３の鎖線に示すように、凝縮器２７の正面を覆った状態で装備される。  
なお、図２に示すように、冷凍ユニット１９が機械室１８から出された状態において、凝縮器２７の前面にエアフィルタ７０を装着し、その後に機械室１８内に入れるようにしてもよい。
【００２６】
前面パネル６２の吸気口６５の前面に装着する場合は、図１１に示すように、前面パネル６２を閉じた状態としてエアフィルタ７０を吸気口６５の正面に押し付ける。そのとき、図１２に示すように、下縁側を少し前に出した斜め姿勢として、下縁の両差込部７６を、一番下の左右の小吸気口６５Ａに差し込み、続いて上縁側を起こすと、図１３及び図１４に示すように、両規制部７７が、同じく一番下の左右の小吸気口６５Ａにおける互いに離間した端部の内側に嵌まるとともに、上縁のマグネット７９が、前面パネル６２の正面における吸気口６５の形成領域の上の部分に吸着する。  
繰り返すと、両差込部７６が一番下の左右の小吸気口６５Ａに差し込まれ、また両規制部７７が、同小吸気口６５Ａにおける互いに離間した端部の内側に嵌まることで、上下方向及び左右方向の移動が規制され、マグネット７９が前面パネル６２に吸着することで倒れ止めがなされ、これにより、エアフィルタ７０は、図１の鎖線に示すように、前面パネル６２の吸気口６５の前面を覆った状態で装備される。
【００２７】
冷却運転中では、冷凍室１４Ａと冷蔵室１４Ｂにおいて、それぞれ庫内サーミスタ（図示せず）で庫内温度が検知され、庫内温度が個別に設定された設定温度よりも高くなると、対応する電磁弁３１Ａ，３１Ｂが開放されて蒸発器３３Ａ，３３Ｂへ冷媒が供給されるとともに庫内ファン３５Ａ，３５Ｂが駆動されることで庫内が冷却され、一方庫内温度が設定温度よりも低くなると、電磁弁３１Ａ，３１Ｂが閉じて冷媒の供給が停止するとともに庫内ファン３５Ａ，３５Ｂが停止することで冷却動作が停止され、その繰り返しによって、各室１４Ａ，１４Ｂ内がほぼ設定温度に維持される。なお、冷凍側と冷蔵側の電磁弁３１Ａ，３１Ｂのいずれか一方が開くと冷凍ユニット１９（圧縮機２６）は駆動され、両電磁弁３１Ａ，３１Ｂが閉じると冷凍ユニット１９が停止する。
【００２８】
ここで、冷凍ユニット１９（圧縮機２６）が駆動される間、併せて凝縮器ファン２８が駆動され、それに伴い、機械室１８の前面パネル６２の吸気口６５から外気が取り込まれて収納スペース２１に流通し、そこに収容された凝縮器２７、さらには圧縮機２６等が冷却される。この冷却に供した後の暖排気は、流通空間６０に立ち上ったのち、前方に向きを変えて流れつつ、前面パネル６２の排気口６７から機外前方に排出される。  
この間、凝縮器２７の前面、または前面パネル６２の吸気口６５の前面に設けられたエアフィルタ７０が、機械室１８内に取り込まれる外気中に混じった塵埃や油露を捕集し、これらが凝縮器２７に付着することを極力防止する。
【００２９】
エアフィルタ７０が前面パネル６２の吸気口６５の前面に装着されている場合は、エアフィルタ７０の汚れ具合がよく判る。そして掃除する場合は、図１２に参照して示すように、操作部８０に指を掛けて手前に引くことによってマグネット７９を前面パネル６２から引き離し、続いて差込部７６と規制部７７とを小吸気口６５Ａから引き抜くことで、簡単に外すことができる。  
一方、エアフィルタ７０が凝縮器２７の前面に装着されている場合は、前面パネル６２を開けて汚れを確認する。掃除する場合は、図１０に示すように、同じく操作部８０に指を掛けて手前に引くことによってマグネット７９を吸着板４８から引き離し、続いて差込部７６と規制部７７とを、凝縮器２７と基台３７との隙間４５、あるいは脚部４２の両側から引き抜くことで、簡単に外すことができる。  
エアフィルタ７０を凝縮器２７の前面に装着した場合は、エアフィルタ７０の汚れを確認したり、掃除すべく取り外す場合は、前面パネル６２を開ける必要があるが、その代わり通常は、エアフィルタ７０は前面パネル６２の裏側に隠された状態にあるから、見栄えのよいものとなる。
【００３０】
以上のように本実施形態によれば、エアフィルタ７０を装着するに当たり、高級感を活かす等の外観を重視する場合は、凝縮器２７の前面に装着し、言い換えると前面パネル６２の裏側に隠し、一方、汚れの確認や掃除をするときの便宜性を重視する場合は、前面パネル６２の吸気口６５の前面に装着するといったように、目的により装着場所を使い分けることができる。しかも、エアフィルタ７０自体は共通であるから、安価に対応することができる。
【００３１】
＜実施形態２＞
次に、本発明の実施形態２を図１５ないし図２２によって説明する。この実施形態２では、エアフィルタ７０Ａの形状に変更が加えられている。  
実施形態２のエアフィルタ７０Ａでは、図１５及び図１６に示すように、枠７１の下縁の裏面における幅方向の両端部に、一対の規制部８２が突出形成されている。それに対して、実施形態１のエアフィルタ７０のように差込部は形成されておらず、規制部８２が差込部の機能を果たすことも兼ねている。
【００３２】
規制部８２は、実施形態１のエアフィルタ７０の規制部７７と同様に小幅であるが、突出長さは少し大きくされ、かつ先端側が一段下がった段差状に形成されている。先端には、山形に尖ったガイド部８３が形成されている。  
エアフィルタ７０Ａが凝縮器２７の前面に当てられた際には、両規制部８２が、凝縮器２７の両脚部４２を挟むことができるようになっている。また、エアフィルタ７０Ａが前面パネル６２の吸気口６５の前面に当てられた際には、両規制部８２は、一番下の左右の小吸気口６５Ａにおける外側の端部寄りの位置に挿入可能となっている。  
その他の構造については、前記実施形態１と同様であって、同一機能を有する部位については同一符号を付すことで、重複した説明は省略する。
【００３３】
エアフィルタ７０Ａの装着は、以下のようにして行われる。  
凝縮器２７の前面に装着する場合は、エアフィルタ７０Ａの下縁が凝縮器２７の下面と対応する姿勢として、図１６の矢線に示すように凝縮器２７の正面に押し付ける。これに伴い、図１７及び図１８に示すように、両規制部８２が、ガイド部８３で案内されつつ凝縮器２７の脚部４２の外側に進入し、脚部４２を両側から挟むことで左右方向の移動が規制され、それとともに上縁のマグネット７９が吸着板４８に吸着することで倒れ止めされる。  
その後、前面パネル６２が閉じられると、エアフィルタ７０Ａは、前面パネル６２の裏面側において、凝縮器２７の前面を覆った状態で装備される。なおこの場合、凝縮器２７の下面と基台３７との間の隙間４５に入り込むものがないので、上下方向の移動の規制力は弱くなるが、エアフィルタ７０Ａは機械室１８内に収められた状態で異物が当たることもないので、実用上は差し支えがない。
【００３４】
一方、前面パネル６２の吸気口６５の前面に装着する場合は、図１９に示すように、前面パネル６２を閉じた状態としてエアフィルタ７０Ａを吸気口６５の正面に押し付ける。そのとき、図２０に示すように、下縁側を少し前に出した斜め姿勢として、下縁の両規制部８２を一番下の左右の小吸気口６５Ａに差し込む。両規制部８２はガイド部８３で案内されつつ、同左右の小吸気口６５Ａにおける互いに離間した端部の内側に嵌まり、続いて上縁側を起こすと、図２１及び図２２に示すように、上縁のマグネット７９が、前面パネル６２の正面における吸気口６５の形成領域の上の部分に吸着する。  
すなわち、両規制部８２が一番下の左右の小吸気口６５Ａにおける互いに離間した端部の内側に嵌まることで、上下方向及び左右方向の移動が規制されるとともに、マグネット４９が前面パネル６２に吸着することで倒れ止めがなされ、これによりエアフィルタ７０Ａは、前面パネル６２の吸気口６５の前面を覆った状態で装備される。
【００３５】
エアフィルタ７０Ａを取り外す作業は、凝縮器２７の前面に装着されている場合、また前面パネル６２の吸気口６５の前面に装着する場合のいずれも、前記実施形態１と同様に行うことができる。  
この実施形態２のエアフィルタ７０Ａでは、規制部８２に差込部の機能を兼用させることで差込部を除去したから、エアフィルタ７０Ａの構造がシンプルにでき、ひいてはより安価な製造が可能となる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）エアフィルタの上縁を相手の凝縮器や前面パネルに着脱可能に取り付ける手段としては、マグネットを設けることに代えて、簡単に引っ掛ける手段を設けたり、蝶ねじ等で簡単にねじ込める手段を講じてもよい。  
（２）実施形態２において、例えば凝縮器の脚部の間隔を広げるようにすれば、エアフィルタに形成した規制部を脚部の内側に入れることで、左右方向に加えて上下方向の移動を規制することも可能となり、すなわち規制部に対して差込部の機能も併せて持たせることができる。
【００３７】
（３）本発明は、冷凍ユニットが引き出し形式ではなく、機械室の底面側に据え置く形式のものにも同様に適用できる。  
（４）また本発明は、上記実施形態に例示した横型の冷却貯蔵庫に限らず、他の形式の冷却貯蔵庫や、さらには製氷機等も含めて、要は正面を向いた機械室内に空冷式の凝縮器を備えた冷却装置全般に広く適用することができる。
【図面の簡単な説明】
【００３８】
【図１】本発明の実施形態１に係る冷凍冷蔵庫の外観斜視図
【図２】機械室内の構造を示す斜視図
【図３】正面から見た断面図
【図４】冷凍回路の回路図
【図５】エアフィルタの表面側から見た斜視図
【図６】その裏面側から見た斜視図
【図７】エアフィルタを凝縮器の前面に装着する前の平面図
【図８】装着後の平面図
【図９】装着後の側断面図
【図１０】取り外し動作を示す側断面図
【図１１】エアフィルタを吸気口の前面に装着する前の一部切欠平面図
【図１２】装着及び取り外し動作を示す側断面図
【図１３】装着後の側断面図
【図１４】装着後の一部切欠平面図
【図１５】実施形態２に係るエアフィルタの裏面側から見た斜視図
【図１６】エアフィルタを凝縮器の前面に装着する前の平面図
【図１７】装着後の平面図
【図１８】装着後の側断面図
【図１９】エアフィルタを吸気口の前面に装着する前の一部切欠平面図
【図２０】装着動作を示す側断面図
【図２１】装着後の側断面図
【図２２】装着後の一部切欠平面図
【図２３】従来例の正面図
【符号の説明】
【００３９】
１８…機械室  ２５…冷凍回路  ２７…凝縮器  ２８…凝縮器ファン  ３７…基台  ４２…脚部  ４５…隙間  ４８…吸着板  ６２…前面パネル  ６５…吸気口  ６５Ａ…小吸気口  ６７…排気口  ７０，７０Ａ…エアフィルタ  ７６…差込部  ７７，８２…規制部  ７９…マグネット（取付部）
【図１】
2005156096.tif 000003
【図２】
2005156096.tif 000004
【図３】
2005156096.tif 000005
【図４】
2005156096.tif 000006
【図５】
2005156096.tif 000007
【図６】
2005156096.tif 000008
【図７】
2005156096.tif 000009
【図８】
2005156096.tif 000010
【図９】
2005156096.tif 000011
【図１０】
2005156096.tif 000012
【図１１】
2005156096.tif 000013
【図１２】
2005156096.tif 000014
【図１３】
2005156096.tif 000015
【図１４】
2005156096.tif 000016
【図１５】
2005156096.tif 000017
【図１６】
2005156096.tif 000018
【図１７】
2005156096.tif 000019
【図１８】
2005156096.tif 000020
【図１９】
2005156096.tif 000021
【図２０】
2005156096.tif 000022
【図２１】
2005156096.tif 000023
【図２２】
2005156096.tif 000024
【図２３】
2005156096.tif 000025